(57)【特許請求の範囲】
【請求項１】
少なくとも、宛先アドレス，送信元アドレス，タイプフィールド及びデータフィールドを含むＭＡＣフレームと、このＭＡＣフレームの先頭に付加し、かつ送信を開始する時にビット同期を確立するためのフィールドであるプリアンブルとを挿入してなるＩＥＥＥ８０２．３標準規格に準拠した伝送フレームを、基地局と一又は二以上の子局間で無線伝送する無線伝送方式において、少なくとも通信制御に使用し、かつ前記プリアンブルとは区別されるＲＣフレームを、前記伝送フレームに定義して割り当てることにより、ＭＡＣフレームが終了した最後に挿入し、無線部により、ＲＣフレームを含む伝送フレームをプロトコル変換することなく直接変調して無線伝送するとともに、ＲＣフレームを使用してキャリアＩＤの認証要求情報を子局から基地局に送信し、基地局で前記認証要求情報に基づき前記キャリアＩＤの認証を行い、かつＲＣフレームを使用して子局に認否情報を送信する動作，ＲＣフレームを使用して基地局により送信が許可された子局から、指定された送信時間に対応する可変スロット長のＭＡＣフレームを有し、かつＲＣフレームを挿入した伝送フレームを基地局に送信する動作，又は、子局より取得した暗号キーを用いて暗号化した伝送フレームを基地局から子局に送信し、子局で当該伝送フレームに対して復号キーにより常時復号を行い、復号可能なときに自分宛の伝送フレームとして取込む動作，の少なくとも一つの動作を行うことを特徴とする無線伝送方式。
【請求項２】
前記無線部は、フロー制御部によりＬＡＮ接続器に対してフロー制御を行うことを特徴とする請求項１記載の無線伝送方式。
【請求項３】
前記ＬＡＮ接続器には、ＭＡＣブリッジ，レイヤ２スイッチ，レイヤ３スイッチを含むことを特徴とする請求項２記載の無線伝送方式。
【請求項４】
前記子局は、前記認否情報を受信し、前記キャリアＩＤが認証されたなら通信可能モードに切換え、かつ前記キャリアＩＤが否認されたなら通信不能モードに切換えることを特徴とする請求項１記載の無線伝送方式。
【発明の詳細な説明】
【０００１】
【発明の属する技術分野】
本発明は、ＭＡＣフレームを挿入した伝送フレームを基地局と一又は二以上の子局間で無線伝送する際に用いて好適な無線伝送方式に関する。
【０００２】
【従来の技術】
一般に、基地局に対して複数の子局間で情報を無線伝送する無線伝送方式は、各種知られている。
【０００３】
図６には、基地局Ｂｓと、この基地局Ｂｓに対して送信又は受信を行う複数の子局Ｃｓａ，Ｃｓｂ…を示す。子局Ｃｓａは、例えば、複数の端末（パソコン等）Ｐａａ，Ｐａｂ…を接続したイーサネット（登録商標）Ｎａと、このイーサネットＮａに接続した無線部Ｒａを備える。他の子局Ｃｓｂ…も同様であり、例えば、複数の端末Ｐｂａ，Ｐｂｂ…を接続したイーサネットＮｂ…と、このイーサネットＮｂ…に接続した無線部Ｒｂ…を備える。また、基地局Ｂｓにも無線部Ｒａ…と同様の無線部Ｒｓを備えるとともに、この無線部Ｒｓに接続したイーサネットＮｓを備える。
【０００４】
ところで、イーサネットＮａ…は、家庭や中小企業等で比較的多く利用されているＬＡＮ（ローカルエリアネットワーク）であり、その仕様は、ＩＥＥＥ８０２．３標準規格（ＩＥＥＥ：米国電気電子技術者協会）により規定されている。子局Ｃｓａの無線部Ｒａは、イーサネットＮａの情報を基地局Ｂｓの無線部Ｒｓに送信し、又は基地局Ｂｓの無線部Ｒｓからの情報を受信してイーサネットＮａに付与する機能を備える。他の子局Ｃｓｂ…の無線部Ｒｂ…、さらには基地局Ｂｓの無線部Ｒｓの機能も基本的には当該無線部Ｒａと同様である。
【０００５】
図７に、従来の無線部Ｒａを符号Ｒａｒで示す。同図に示す無線部Ｒａｒにおいて、５１は媒体依存インタフェース（ＭＤＩ）であり、図６におけるイーサネットＮａのＬＡＮケーブルに接続する。また、ＭＤＩ５１は、物理層デバイス部（ＰＨＹ）５２に接続する。ＰＨＹ５２は、ＭＤＩ５１に接続する物理媒体依存部（ＰＭＤ）５３，物理媒体接続部（ＰＭＡ）５４及び物理符号化副層（ＰＣＳ）５５からなる。さらに、ＰＨＹ５２（ＰＣＳ５５）は、メディア共通インタフェース（ＭＩＩ）５６を介して調整副層（ＲＳ）５７に接続するとともに、このＲＳ５７は、媒体アクセス制御部（ＭＡＣ）５８を介してＭＡＣブリッジ５９に接続する。ＭＡＣブリッジ５９は、ＬＡＮ間における不要なデータフレームを通過させない機能を有するＬＡＮ接続器である。一方、ＭＡＣブリッジ５９は、ＭＡＣ６０を介してＲＳ６１に接続する。以上は、ＩＥＥＥ８０２．３標準規格の規格に基づく構成部分である。そして、ＲＳ６１は、ＭＩＩ６２を介してプロトコル変換部６３に接続するとともに、さらに、このプロトコル変換部６３は、データバスインタフェース（ＵＴＯＰＩＡ）６４を介してＡＴＭセル無線伝送方式（ＡＴＭ：非同期転送技術）を用いた無線伝送部６５に接続する。
【０００６】
この場合、プロトコル変換部６３は、ＩＥＥＥ８０２．３標準規格に準拠した伝送フレーム、即ち、ＭＡＣフレームデータを、ＡＴＭセル無線伝送を行うためのＡＴＭセルデータにプロトコル変換するとともに、ＡＴＭセルデータをＩＥＥＥ８０２．３標準規格に準拠したＭＡＣフレームデータにプロトコル変換する機能を備える。また、無線伝送部６５は、無線送信部６６，無線受信部６７，無線制御部６８，送信バッファ部６９，受信バッファ部７０及びアンテナ７１等を備える。
【０００７】
これにより、送信時には、イーサネットＮａ上におけるＩＥＥＥ８０２．３標準規格に準拠した伝送フレーム（ＭＡＣフレームデータ）が、プロトコル変換部６３及び無線伝送部６５により、ＡＴＭセルデータに変換され、ＡＴＭセル無線伝送方式により送信される。このＡＴＭセルデータは、ＶＰＩ／ＶＣＩ（仮想パルス識別子／仮想チャネル識別子）と呼ばれる宛先情報である５バイトのヘッダデータと４８バイトのＡＴＭデータからなる５３バイトのデータ構造を備える。このようなＡＴＭセル無線伝送方式では、ＡＴＭセルデータを含む伝送フレームが非同期方式で送受信される。このため、無線伝送回線上で送受信する際の伝送プロトコルが規定され、無線伝送部６５ではＴＤＭＡ（時分割多重接続）方式により、時間軸上に割り当てられた所定のタイムスロットにおいて基地局に対する送受信が行われるとともに、この際における送受信タイミングは、ＡＴＭセルデータに基づいて制御される。
【０００８】
【発明が解決しようとする課題】
しかし、このようなＡＴＭセル無線伝送方式を用いた従来の無線伝送方式は、ＩＥＥＥ８０２．３標準規格に準拠した伝送フレーム（ＭＡＣフレームデータ）を、一旦、ＡＴＭセルデータにプロトコル変換し、ＴＤＭＡ方式により無線伝送していたため、送信側ではＭＡＣフレームデータをＡＴＭセルデータに分割して送信するとともに、受信側では受信したＡＴＭセルデータを組立ててＭＡＣフレームデータを得る必要があるなど、伝送方式及び伝送構造が複雑化し、特に、使用装置が大規模化することにより、コストの大幅な増加を招く問題があった。
【０００９】
本発明は、このような従来の技術に存在する課題を解決したものであり、伝送方式及び伝送構造の単純化を図ることにより使用装置を小規模化し、コストの大幅な低減を実現することができる無線伝送方式の提供を目的とする。
【００１０】
【課題を解決するための手段及び実施の形態】
本発明に係る無線伝送方式は、少なくとも、宛先アドレス，送信元アドレス，タイプフィールド及びデータフィールドを含むＭＡＣフレーム１０１と、このＭＡＣフレーム１０１の先頭に付加し、かつ送信を開始する時にビット同期を確立するためのフィールドであるプリアンブル１０２とを挿入してなるＩＥＥＥ８０２．３標準規格に準拠した伝送フレーム１００を、基地局Ｂｓと一又は二以上の子局Ｃｓａ，Ｃｓｂ…間で無線伝送する無線伝送方式であって、少なくとも通信制御に使用し、かつプリアンブル１０２とは区別されるＲＣフレーム１０３を、伝送フレーム１００に定義して割り当てることにより、ＭＡＣフレーム１０１が終了した最後に挿入し、無線部Ｒａ…により、ＲＣフレーム１０３を含む伝送フレーム１００をプロトコル変換することなく直接変調して無線伝送するとともに、ＲＣフレーム１０３を使用してキャリアＩＤの認証要求情報を子局Ｃｓａ…から基地局Ｂｓに送信し、基地局Ｂｓで認証要求情報に基づきキャリアＩＤの認証を行い、かつＲＣフレーム１０３を使用して子局Ｃｓａ…に認否情報を送信する動作，ＲＣフレーム１０３を使用して基地局Ｂｓにより送信が許可された子局Ｃｓａ…から、指定された送信時間に対応する可変スロット長のＭＡＣフレーム１０１を有し、かつＲＣフレーム１０３を挿入した伝送フレーム１００を基地局Ｂｓに送信する動作，又は、子局Ｃｓａ…より取得した暗号キーを用いて暗号化した伝送フレーム１００を基地局Ｂｓから子局Ｃｓａ…に送信し、子局Ｃｓａ…で伝送フレーム１００に対して復号キーにより常時復号を行い、復号可能なときに自分宛の伝送フレーム１００として取込む動作，の少なくとも一つの動作を行うことを特徴とする。
【００１１】
この場合、好適な実施の態様により、無線部Ｒａ…は、フロー制御部１２…によりＬＡＮ接続器に対してフロー制御を行うことができる。なお、ＬＡＮ接続器には、ＭＡＣブリッジ１１，レイヤ２スイッチ，レイヤ３スイッチが含まれる。また、子局Ｃｓａ…は、認否情報を受信し、キャリアＩＤが認証されたなら通信可能モードに切換え、かつキャリアＩＤが否認されたなら通信不能モードに切換えることができる。
【００１２】
【実施例】
次に、本発明に係る好適な実施例を挙げ、図面に基づき詳細に説明する。
【００１３】
まず、本実施例に係る無線伝送方式を適用できる無線システムＸの構成について、図６を参照して説明する。
【００１４】
同図に示す無線システムＸは、前述したように、基地局Ｂｓと、この基地局Ｂｓに対して送信又は受信を行う複数の子局Ｃｓａ，Ｃｓｂ…を備える。子局Ｃｓａは、パソコンＰａａ，Ｐａｂ…や携帯電話等の複数の端末を接続したイーサネットＮａと、このイーサネットＮａに接続した無線部Ｒａを備える。他の子局Ｃｓｂ…も同様であり、パソコンＰｂａ，Ｐｂｂ…や携帯電話等の複数の端末を接続したイーサネットＮｂ…と、このイーサネットＮｂ…に接続した無線部Ｒｂ…を備える。また、基地局Ｂｓにも無線部Ｒａ…と同様の無線部Ｒｓを備えるとともに、この無線部Ｒｓに接続したイーサネットＮｓを備えている。
【００１５】
次に、本実施例に係る無線伝送方式を実施できる無線部Ｒａの構成について、図１を参照して説明する。
【００１６】
同図に示す無線部Ｒａにおいて、２１は使用する媒体によって異なる媒体依存インタフェース（ＭＤＩ）であり、図６におけるイーサネットＮａのＬＡＮケーブル（例えば、１０ＢＡＳＥ−Ｔ，１００ＢＡＳＥ−ＴＸ，１００ＢＡＳＥ−ＦＸ等）に接続する。また、ＭＤＩ２１は、物理層デバイス（ＰＨＹ）２２に接続する。このＰＨＹ２２は、ＭＤＩ２１に接続する物理媒体依存部（ＰＭＤ）２３，物理媒体接続部（ＰＭＡ）２４及び物理符号化副層（ＰＣＳ）２５からなる。ＰＨＹ２２（ＰＣＳ２５）は、メディア共通インタフェース（ＭＩＩ）２６を介して調整副層（ＲＳ）２７に接続するとともに、このＲＳ２７は、媒体アクセス制御部（ＭＡＣ）２８を介してＭＡＣブリッジ１１に接続する。このＭＡＣブリッジ１１は、ＬＡＮ間における不要なデータフレームを通過させない機能を有するＬＡＮ接続器であり、その他、同様の機能を有するＬＡＮ接続器として、レイヤ２スイッチ，レイヤ３スイッチ等がある。さらに、ＭＡＣブリッジ１１は、ＭＡＣ２９を介してＲＳ３０に接続する。以上は、ＩＥＥＥ８０２．３標準規格の規格に基づく構成部分である。
【００１７】
また、ＲＳ３０は、ＭＩＩ３１を介して制御部３２に接続する。この制御部３２は、ＭＩＩ３１に接続するフロー制御部１２と、このフロー制御部１２に接続する無線インタフェース制御部（ＲＩＣ）３３を備える。さらに、ＲＩＣ３３は、ＭＩＩ３４を介してＰＨＹ３５に接続する。このＰＨＹ３５は、ＭＩＩ３４に接続するＰＣＳ３６，ＰＭＡ３７及びＰＭＤ３８からなる。そして、ＰＨＹ３５（ＰＭＤ３８）は無線伝送部３９に接続する。この無線伝送部３９は、無線送信部４０，無線受信部４１及びアンテナ４２を備える。また、無線伝送部３９は、信号ライン４３によりＲＩＣ３３に接続する。
【００１８】
次に、本実施例に係る無線伝送方式に基づく無線部Ｒａの動作について、図１〜図６を参照して説明する。
【００１９】
図２は、図１に示した無線部Ｒａの各部における伝送フレームの状態を示している。まず、送信時の動作について説明する。ＬＡＮを構成するイーサネットＮａの仕様は、ＩＥＥＥ８０２．３標準規格により詳細に規定されており、図２（ａ）は、イーサネットＮａのＬＡＮケーブルを、伝送速度１２５Ｍｂｉｔ／ｓにより伝送される伝送フレーム（送信信号）１００ａを示す。この伝送フレーム１００ａは、ストリームの先頭を表す１バイト／Ｊ／，／Ｋ／が挿入されたプリアンブル１０２を有する。プリアンブル１０２は伝送フレーム１００ａの送信を開始する時にビット同期を確立するためのフィールドであり、／Ｊ／，／Ｋ／が省略された場合にはプリアンブル１０２のみとなる。プリアンブル１０２は、「１」と「０」を交互に繰り返すとともに、「１」で始まり「０」で終わる５６ビット以上の信号列「１０１０１０…０１０」である。また、プリアンブル１０２の後には、フレームが始まることを示すフレーム開始デリミタ（ＳＦＤ）１０４を有する。このＳＦＤ１０４は、最後が「１」で終わる８ビットの信号「１０１０１０１１」であり、次のオクテットからデータであることを表す。そして、ＳＦＤ１０４の後には、ＭＡＣフレーム１０１が続く。このＭＡＣフレーム１０１には、宛先アドレス，送信元アドレス，イーサネットがどのようなプロトコルを使用しているかを示すタイプフィールド，実際に送信するデータフィールドが含まれる。さらに、１０５…は各フレーム間を補完するアイドルシグナル（ＩＳ）を示す。なお、図２（ａ）は、ＩＥＥＥ８０２．３標準規格に準拠したフレームフォーマットである。イーサネットのフレームフォーマットは図２（ａ）とは若干異なるが、基本的には同様に適用することができる。
【００２０】
一方、伝送フレーム１００ａは、ＰＭＤ２３，ＰＭＡ２４，ＰＣＳ２５を経てＭＩＩ２６に至る。このＭＩＩ２６上の伝送フレーム１００ｂを図２（ｂ）に示す。この伝送フレーム１００ｂと上述した伝送フレーム１００ａの相違は、ＩＳ１０５…の有無となるが、ＩＳ１０５…は、「０」信号の連続として定義されるため、実質的には同一信号である。また、ＭＩＩ２６上の伝送フレーム１００ｂは、ＲＳ２７，ＭＡＣ２８を経てＭＡＣブリッジ１１に至り、このＭＡＣブリッジ１１には、伝送フレーム１００ｂにおけるプリアンブル１０２及びＳＦＤ１０４の認識されない図２（ｃ）に示す伝送フレーム１００ｃが付与される。この伝送フレーム１００ｃは、無線部Ｒａの送信信号となり、ＭＡＣブリッジ１１のバッファ機能により一時保持される。
【００２１】
他方、基地局Ｂｓからは伝送フレーム２００（不図示）が送信される。この場合、伝送フレーム２００は搬送波により変調されている。この伝送フレーム２００は、図２（ｇ）に示す伝送フレーム１００からＭＡＣフレーム１０１及びその前側を除去した構造となり、ＲＣフレーム（ＲＣＦ）とＩＳ１０５…のみを含む。このＲＣフレームについては後に詳述する。基地局Ｂｓは、このＲＣフレームを使用して、子局Ｃｓａに対して送信を許可する許可データと送信時間を指定する送信時間データを送信する。したがって、基本的な通信方式は、ＴＤＭＡ方式を用いることができる。なお、基地局Ｂｓでは、子局Ｃｓａからの初期送信により暗号キーを取得し、この暗号キーを用いて暗号化した伝送フレーム２００を送信することもできる。伝送フレーム２００を暗号化する態様には、伝送フレーム２００自身を暗号化する場合及び伝送フレーム２００に暗号キーを付加する場合など、各種の態様を適用できる。
【００２２】
そして、基地局Ｂｓから伝送フレーム２００が送信されれば、子局Ｃｓａは無線受信部４１により受信するとともに、復調した伝送フレーム２００（ＲＣフレーム）をＲＩＣ３３に付与する。これにより、ＲＩＣ３３は、ＲＣフレームから許可データと送信時間データを得る。この際、許可データが自分を指定するものでない場合には、データを破棄する。なお、伝送フレーム２００を暗号化した場合には、ＲＩＣ３３において、自分の復号キーにより常時復号を行い、復号可能なときは自分宛の伝送フレームとして取込むとともに、復号できないときはデータを破棄する。
【００２３】
また、フロー制御部１２は、ＲＩＣ３３の受信結果に基づいてＭＡＣブリッジ１１を制御する。これにより、ＭＡＣブリッジ１１に一時保持されていた伝送フレーム１００ｃが、ＭＡＣ２９，ＲＳ３０を経てＭＩＩ３１に付与される。このＭＩＩ３１には、プリアンブル１０２及びＳＦＤ１０４の付加された図２（ｄ）に示す伝送フレーム１００ｄが付与される。この伝送フレーム１００ｄは、時間的な遅れを有している点を除いて伝送フレーム１００ｂと同一構造である。しかし、伝送フレーム１００ｄの長さは、指定された送信時間データに対応する。即ち、この伝送フレーム１００ｄには、送信時間データに対応する可変スロット長のＭＡＣフレーム１０１が含まれる。
【００２４】
さらに、伝送フレーム１００ｄは、ＲＩＣ３３を通過するため、このＲＩＣ３３を通過する際に、伝送フレーム１００ｄに対してＲＣフレーム１０３を挿入する。この場合、ＲＣフレーム１０３は、ＭＡＣフレーム１０１が存在しない空時間、即ち、ＭＡＣフレーム１０１が終了した最後に挿入する。ＲＩＣ３３を通過した後の伝送フレーム１００ｅを図２（ｅ）に示す。このＲＣフレーム１０３は、プリアンブル１０２とは区別されるデータ構造を有しており、具体的には、「１」で始まるプリアンブル１０２に対して、「０」で始まる「００１０１０１０…１０」のデータとなる。なお、ＲＣフレーム１０３のビット数は、プリアンブル１０２と同じである。このＲＩＣ３３は、送信時に、ＲＣフレーム１０３を挿入する機能を備えるとともに、受信時には、ＲＣフレーム１０３を除去する機能を備える。このように、ＲＣフレーム１０３は、子局Ｃｓａ…から送信する際における可変スロット長のＭＡＣフレーム１０１の終端を表すことにより、基地局Ｂｓとの通信制御に使用される基本的な機能を有している。
【００２５】
一方、ＲＣフレーム１０３は、このような通信制御に加えて他の付加情報の伝送にも使用できる。例えば、ＲＣフレーム１０３を使用して、子局Ｃｓａ，Ｃｓｂ…に対する認証を行うことができる。以下、この認証方法について、図３を参照し、図４に示すフローチャートに従って説明する。
【００２６】
図３は、図１の制御部３２を抽出し、このような認証方法に使用するキャリアＩＤ処理部４５を含まめて記載したものである。まず、子局Ｃｓａ（又はＣｓｂ…）は、ＲＣフレーム１０３を使用して、キャリアＩＤ（電話番号等）の認証要求情報を基地局Ｂｓに送信する（ステップＳ１）。基地局Ｂｓは、認証要求情報を受信したなら、キャリアＩＤをイーサネットＮｅに接続された交換器等の認証部に転送する。これにより、認証部は、認証用データベースを用いてキャリアＩＤとの照合を行う（ステップＳ２）。この照合結果、即ち、認否情報は、基地局Ｂｓを介して子局Ｃｓａに送信される（ステップＳ３）。一方、子局Ｃｓａは、認否情報を受信し、この認否情報によりキャリアＩＤが認証されていれば、制御部３２におけるキャリアＩＤ処理部４５を通信可能モードに切換える（ステップＳ４，Ｓ５，Ｓ６）。具体的には、このキャリアＩＤ処理部４５は、ＲＳ３０とＰＣＳ３６間を接続又は遮断するスイッチ機構を有しており、通信可能モードでは、スイッチ機構がオンとなって通信ができるように切換えられる。これに対し、認否情報によりキャリアＩＤが否認されていれば、キャリアＩＤ処理部４５を通信不能モードに切換える（ステップＳ４，Ｓ５，Ｓ７）。即ち、通信不能モードでは、キャリアＩＤ処理部４５におけるスイッチ機構がオフとなって通信ができないように切換えられる。
【００２７】
このような子局Ｃｓａ，Ｃｓｂ…の認証は、通常、伝送フレーム１００を使用して行われるが、上記のＲＣフレーム１０３を使用することにより、いわば無線区間のみで認証を行うことができ、認証処理の簡略化及び高速化を図ることができる。
【００２８】
さらに、前述したように、基地局Ｂｓから送信されるＲＣフレーム１０３には、送信を許可する許可データと送信時間を指定する送信時間データを含ませることができる。また、子局Ｃｓａ…から送信するＲＣフレーム１０３には、前述した暗号キーや子局Ｃｓａ…で発生した異常等の各種状態情報を含ませることができるとともに、他方、基地局Ｂｓからは、試験要求情報やパスワード要求情報等の各種情報を含ませることができる。したがって、ＲＣフレーム１０３は、上述した基本的データ構造を除き、含ませる情報に対応して異なるビット列に定義される。よって、このようなＲＣフレーム１０３を使用することにより、無線通信における多様性及び発展性を高めることができるとともに、使用時における利便性や処理効率を高めることができる。
【００２９】
一方、ＭＩＩ３４上の伝送フレーム１００ｅは、ＰＣＳ３５，ＰＭＡ３６，ＰＭＤ３７を経ることにより、ＩＳ１０５…の付加された図２（ｆ）に示す伝送フレーム１００ｆが無線送信部４０に付与される。無線送信部４０では、指定時間データに基づいた長さの図２（ｇ）に示す伝送フレーム１００を搬送波により変調し、アンテナ４２から伝播させる。この場合の変調方式としては、ＡＭ変調やＦＭ変調など、任意の変調方式を適用することができる。
【００３０】
他方、受信時には、送信時の動作と逆の動作が行われる。今、基地局Ｂｓから子局Ｃｓａに対して、図２（ｇ）に示す伝送フレーム１００が送信された場合を想定する。送信される伝送フレーム１００は搬送波により変調されている。また、ＲＣフレーム１０３には、少なくとも子局Ｃｓａに対して送信を許可する許可データが含まれる。なお、基地局Ｂｓでは、子局Ｃｓａからの初期送信により暗号キーを取得し、この暗号キーを用いて暗号化した伝送フレーム１００を送信することもできる。
【００３１】
そして、基地局Ｂｓから伝送フレーム１００が送信されれば、子局Ｃｓａは無線受信部４１により受信し、復調を行う。これにより、図２（ｆ）の伝送フレーム１００ｆが得られる。伝送フレーム１００ｆは、ＰＭＤ３８，ＰＭＡ３７，ＰＣＳ３６を経てＭＩＩ３４に至り、このＭＩＩ３４上には図２（ｅ）の伝送フレーム１００ｅが付与される。これにより、ＲＩＣ３３は、伝送フレーム１００ｅにおけるＲＣフレーム１０３から許可データを得、許可データが自分を指定する場合は、フロー制御部１２によりＭＡＣブリッジ１１を制御し、伝送フレーム１００ｅをＭＩＩ２６側、即ち、イーサネットＮａ側に取込むとともに、許可データが自分を指定するものでない場合には破棄する。伝送フレーム１００ｅを取込んだ場合には、ＲＩＣ３３においてＲＩＣフレーム１０３を除去する。なお、伝送フレーム１００を暗号化した場合には、ＲＩＣ３３において、自分の復号キーにより常時復号を行い、復号可能なときは自分宛の伝送フレーム１００ｅとして取込むとともに、復号できないときは破棄する。この結果、ＭＩＩ３１には図２（ｄ）の伝送フレーム１００ｄが、ＭＡＣ２８には図２（ｃ）の伝送フレーム１００ｃが、ＭＩＩ２６には図２（ｂ）の伝送フレーム１００ｂが、ＭＤＩ２１には図２（ａ）の伝送フレーム１００ａがそれぞれ付与されることになる。
【００３２】
なお、以上は、子局Ｃｓａの送受信について説明したが、他の子局Ｃｓｂ…、さらに基地局Ｂｓの送受信においても基本的には同様の動作が行われる。
【００３３】
このような本実施例に係る無線伝送方式によれば、ＩＥＥＥ８０２．３標準規格に準拠した伝送フレーム１００に、少なくとも通信制御に使用し、かつＭＡＣフレーム１０１の先頭に付加するプリアンブル１０２とは区別されるＲＣフレーム１０３を定義して割り当てるとともに、無線部Ｒａ…により、ＲＣフレーム１０３を含む伝送フレーム１００をプロトコル変換することなく直接変調して無線伝送するため、従来の無線伝送方式、即ち、伝送フレーム１００をＡＴＭセルデータにプロトコル変換し、ＴＤＭＡ方式により無線伝送するＡＴＭセル無線伝送方式とは異なり、伝送方式及び伝送構造の単純化を図ることができ、使用装置を小規模化してコストの大幅な低減を実現できる。
【００３４】
また、無線部Ｒａ…にフロー制御部１２を設けることにより、ＭＡＣブリッジ１１（ＬＡＮ接続器）に対するフロー制御を行うため、無線送信部４０及び無線受信部４１を含む無線伝送部３９の構成を大幅に簡略化できる。しかも、基地局Ｂｓにより、子局Ｃｓａ…から取得した暗号キーを用いて暗号化した伝送フレーム１００を子局Ｃｓａ…に送信するとともに、子局Ｃｓａ…に設けたＲＩＣ３３により、自分の復号キーにより基地局Ｂｓから送信された伝送フレーム１００に対して常時復号を行い、復号可能なときに自分宛の伝送フレーム１００として取込むようにすれば、無線伝送部３９における識別機能が不要となり、無線伝送部３９の更なる構成簡略化を実現できる。
【００３５】
さらに、基地局Ｂｓにより、ＲＣフレーム１０３を使用し、送信を許可する子局Ｃｓａ…及び送信時間を指定するとともに、送信を許可された子局Ｃｓａ…により、指定された送信時間に対応する可変スロット長のＭＡＣフレーム１０１を含む伝送フレーム１００を送信し、かつ送信の最後にＲＣフレーム１０３を挿入するため、伝送効率（実質的な伝送速度）を高めることができる。
【００３６】
ところで、変調速度の設定は、伝送速度を高速化し、かつ信頼性を確保（誤り防止）する上で重要であり、通常は、無線制御信号（ＲＣフレーム１０３）を低速で変調するとともに、伝送フレーム１００を高速で変調している。しかし、高速で変調される伝送フレーム１００は、伝送路のコンディションによって誤りが発生しやすく、誤りが発生した場合には、その都度、再送信処理により対処しなければならない問題があった。
【００３７】
そこで、本実施例では、ＲＣフレーム１０３を利用することにより、予め伝送路のコンディションを測定し、伝送フレーム１００に対して伝送路のコンディションに対応した最適な変調速度を設定するようにした。以下、変調速度の設定方法について、図５に示すフローチャートに従って説明する。
【００３８】
まず、子局Ｃｓａ，Ｃｓｂ…（又は基地局Ｂｓ）から基地局Ｂｓ（又は子局Ｃｓａ，Ｃｓｂ…）に対して、測定用伝送フレームとＲＣフレーム１０３を送信する（ステップＳ１１）。この場合、測定用伝送フレームには、誤り検出用のＦＣＳフィールド（ＣＲＣ値）を含ませるとともに、任意のデータを含ませる。なお、このデータ内容は問わない。また、測定用伝送フレームの変調速度とＲＣフレーム１０３の変調速度は、いずれも低速に設定する。他方、基地局Ｂｓ（又は子局Ｃｓａ，Ｃｓｂ…）が測定用伝送フレームとＲＣフレーム１０３を受信したなら、測定用伝送フレームに対する誤りの発生有無を検出するとともに（ステップＳ１２，Ｓ１３）、検出結果はＲＣフレーム１０３を利用して子局Ｃｓａ，Ｃｓｂ…（又は基地局Ｂｓ）に送信する。
【００３９】
この際、誤りを検出したなら、子局Ｃｓａ，Ｃｓｂ…（又は基地局Ｂｓ）は、基地局Ｂｓ（又は子局Ｃｓａ，Ｃｓｂ…）に対する正規の伝送フレーム１００の送信を中止する（ステップＳ１４）。一方、誤りを検出しなければ、伝送路の測定処理を行う。伝送路を測定する際には、まず、測定用伝送フレームの変調速度を低速から一段高い速度に変更する（ステップＳ１５）。そして、子局Ｃｓａ，Ｃｓｂ…（又は基地局Ｂｓ）は、変更した変調速度により測定用伝送フレームを変調し、上記と同様の送受信処理を行う（ステップＳ１６）。この場合、ＲＣフレーム１０３の変調速度は変更せず、低速を維持する。このように、測定用伝送フレームの変調速度を順次段階的に変更（高速化）して送受信処理を行い、誤りが検出されるまで上記と同様の送受信処理を繰り返す（ステップＳ１６，Ｓ１７）。これにより、任意の変調速度で誤りが検出されれば、その手前の変調速度を正規の伝送フレーム１００の変調速度として設定する（ステップＳ１７，Ｓ１８）。なお、段階的に変更する際の一段当たりの単位速度及び段階数は、予め任意に設定できる。例えば、段階数としては、「低」，「中」，「高」程度の段階数であってもよいし、より細かく設定することもできる。また、誤りが検出された際における手前の変調速度とは、直前の変調速度であってもよいし、余裕を持たせた複数段低い変調速度であってもよい。
【００４０】
例示の測定処理は、ＲＣフレーム１０３を低速で変調し、かつ測定用伝送フレームの変調速度を低速から順次段階的に高くして送受信処理を行い、誤りを検出した変調速度の手前の変調速度を、正規の伝送フレーム１００の変調速度として設定する場合を説明したが、これとは反対に、測定用伝送フレームの変調速度を高速から順次段階的に低くして送受信処理を行い、誤りを検出しなくなった変調速度を、正規の伝送フレーム１００の変調速度としてもよい。この場合、誤りを検出しなくなった変調速度とは、誤りを検出しなくなった時点の変調速度でもよいし、余裕を持たせた複数段低い変調速度であってもよい。
【００４１】
他方、正規の伝送フレーム１００（ＩＥＥＥ８０２．３標準規格に準拠した信号）を送信する際には、伝送フレーム１００を、設定された変調速度により変調を行うとともに、ＲＣフレーム１０３を、低速の変調速度により変調を行い、前述した通常の送受信を実行する（ステップＳ１９）。よって、このような変調速度の設定を行うことにより、正規の伝送フレーム１００を伝送する際における高い信頼性を確保しつつ伝送速度の高速化を図ることができる。特に、伝送路のコンディションに左右されることなく、伝送フレーム１００の誤りを防止し、確実な伝送を実現でき、無駄な再送信処理も回避できる。
【００４２】
以上、実施例について詳細に説明したが、本発明はこのような実施例に限定されるものではなく、細部の回路構成，手法等において、本発明の要旨を逸脱しない範囲で任意に変更，追加，削除することができる。
【００４３】
【発明の効果】
このように、本発明に係る無線伝送方式は、少なくとも通信制御に使用し、かつプリアンブルとは区別されるＲＣフレームを、伝送フレームに定義して割り当てることにより、ＭＡＣフレームが終了した最後に挿入し、無線部により、ＲＣフレームを含む伝送フレームをプロトコル変換することなく直接変調して無線伝送するとともに、ＲＣフレームを使用してキャリアＩＤの認証要求情報を子局から基地局に送信し、基地局で認証要求情報に基づきキャリアＩＤの認証を行い、かつＲＣフレームを使用して子局に認否情報を送信する動作，ＲＣフレームを使用して基地局により送信が許可された子局から、指定された送信時間に対応する可変スロット長のＭＡＣフレームを有し、かつＲＣフレームを挿入した伝送フレームを基地局に送信する動作，又は、子局より取得した暗号キーを用いて暗号化した伝送フレームを基地局から子局に送信し、子局で当該伝送フレームに対して復号キーにより常時復号を行い、復号可能なときに自分宛の伝送フレームとして取込む動作，の少なくとも一つの動作を行うようにしたため、次のような顕著な効果を奏する。
【００４４】
（１）  伝送フレームをＡＴＭセルデータにプロトコル変換し、ＴＤＭＡ方式により無線伝送するＡＴＭセル無線伝送方式を用いた従来の無線伝送方式とは異なり、伝送方式及び伝送構造の単純化を図ることができるため、使用装置を小規模化し、コストの大幅な低減を実現することができる。
【００４５】
（２）  加えて、ＲＣフレームを、通信制御に加えて他の付加情報の伝送に使用するため、無線通信における多様性及び発展性を高めることができるとともに、使用時における利便性や処理効率を高めることができる。具体的には、ＲＣフレームを使用してキャリアＩＤの認証要求情報を子局から基地局に送信し、基地局で認証要求情報に基づきキャリアＩＤの認証を行い、かつＲＣフレームを使用して子局に認否情報を送信する動作を行うため、いわば無線区間のみで認証を行うことができ、認証処理の簡略化及び高速化を図ることができる。また、ＲＣフレームを使用して基地局により送信が許可された子局から、指定された送信時間に対応する可変スロット長のＭＡＣフレームを有し、かつＲＣフレームを挿入した伝送フレームを基地局に送信する動作を行うため、伝送効率（実質的な伝送速度）を高めることができる。さらに、子局より取得した暗号キーを用いて暗号化した伝送フレームを基地局から子局に送信し、子局で当該伝送フレームに対して復号キーにより常時復号を行い、復号可能なときに自分宛の伝送フレームとして取込む動作を行うため、無線伝送部における識別機能が不要となり、無線伝送部の更なる構成簡略化を実現することができる。
【００４６】
（３）  好適な実施の態様により、無線部に、ＬＡＮ接続器に対してフロー制御を行うフロー制御部を設ければ、無線送信部及び無線受信部を含む無線伝送部の構成を大幅に簡略化することができる。
【図面の簡単な説明】
【図１】  本発明の好適な実施例に係る無線伝送方式を実施できる無線部のブロック構成図、
【図２】  同無線部の各部における伝送フレームの状態を示すパターン図、
【図３】  同無線部における制御部にキャリアＩＤ処理部を含めて記載したブロック構成図、
【図４】  同キャリアＩＤ処理部を用いた認証方法の処理手順を示すフローチャート、
【図５】  同無線伝送方式を利用して伝送フレームに対する変調速度を設定する際の処理手順を示すフローチャート、
【図６】  同無線伝送方式を適用できる無線システムの系統図、
【図７】  従来の技術に係る無線伝送方式を実施する無線部のブロック構成図、
【符号の説明】
１１      ＭＡＣブリッジ
１２      フロー制御部
Ｂｓ      基地局
Ｃｓａ…  子局
Ｒａ…    無線部
１００    伝送フレーム
１０１    ＭＡＣフレーム
１０２    プリアンブル
１０３    ＲＣフレーム
【図１】
0004073678.tif 000002
【図２】
0004073678.tif 000003
【図３】
0004073678.tif 000004
【図４】
0004073678.tif 000005
【図５】
0004073678.tif 000006
【図６】
0004073678.tif 000007
【図７】
0004073678.tif 000008